(57)【要約】      （修正有）【課題】釣り中の釣糸の散乱やもつれを低減することができ、手釣り状態を簡単に維持したままで、その場を離れることができる手釣り用釣糸の手動巻き取り装置を提供する。【解決手段】手釣り糸を巻き上げ巻き下げして収納する回転ローター２と、回転ローターを回動可能に軸支する装置本体１と、回転ローターに固着した手動ハンドル３からなる。【選択図】図１
0003179110.tif 000002
【実用新案登録請求の範囲】
【請求項１】
手釣り糸を巻き上げ巻き下げして収納する回転ローターと、同回転ローターを回動可能に軸支する装置本体と、前記回転ローターに固着した手動ハンドルからなることを特徴とする手釣り用釣糸の手動巻き取り装置。
【請求項２】
上記装置本体に上記手釣り糸の横振れ回りを防止する手釣糸の中途が掛け外し自在な手釣糸横振れ回り防止ガイドを取付けたことを特徴とする請求項１に記載の手釣り用釣糸の手動巻き取り装置。
【請求項３】
上記装置本体に、上記手釣糸の中途が掛け外し自在な手釣糸固定用小竿を取付けると共に、上記回転ローターの回転を防止するピンを挿着自在に取付けたことを特徴とする請求項１に記載の手釣り用釣糸の手動巻き取り装置。
【考案の詳細な説明】
【技術分野】
【０００１】本考案は、手釣り用釣糸の手動巻き取り装置に関するものである。
【背景技術】洋上に出て、船上で釣りをする場合、手釣りと竿釣りによる方法が行われている。
魚とのやり取りの手応えが、直接、手に伝わる手釣りは、手釣り用釣糸を手動巻き取り枠に無数に巻いて、船上で使用する時は、手釣り糸の先端に仕掛けの針や重りと、餌を取付けて、海中に降ろし、釣糸を人指し指と、親指で持って魚の当たりを待ち、当たりを感じたら、両腕を交互に動かして、デッキ上に、魚を手繰り寄せる釣り方が、行われている。【０００２】
【先行技術文献】
【特許文献】
【０００３】
【特許文献１】特開２００５−２０４５２２号公開公報
【０００４】
【考案の概要】
【考案が解決しようとする課題】
【０００５】従来、船上で手釣りを行う場合、餌の取替えや、仕掛けのチェック、船の場所移動時などで、海中から手釣り糸を手繰り寄せた時に、手釣り糸が、デッキ上で散乱して、もつれたりする不具合があった。上記先願発明（特開２００５−２０４５２２号公開公報）はこれらの不具合を解消する発明で、釣り糸１０が横揺れしたときにその振れ幅を制限し、手繰りロータ２への巻き掛け状態が外れるのを防止するため、釣り糸１０を通す糸ガイド２０が設けられ、この糸ガイド２０は、リングの一部を欠如させることでその欠如部分に糸入れ口２１を形成させた形状（平面Ｃ型）を有しているために、釣り糸１０が、糸ガイド２０のリングの一部を欠如させた糸入れ口２１から釣り糸１０が外れるおそれがある。また、魚信アンテナ５０の先端部には釣り糸１０を通す糸通し部５１が設けられているが、釣り糸１０の中途を掛け外し自在には出来ず、最初から釣り糸１０を糸通し部５１に通しておく必要がある。
【課題を解決するための手段】
【０００６】本考案は、手釣り糸を巻き上げ巻き下げして収納する回転ローターと、同回転ローターを回動可能に軸支する装置本体と、前記回転ローターに固着した手動ハンドルからなることを特徴とする手釣り用釣糸の手動巻き取り装置で、更に、装置本体に、手釣り糸の横振れ回りを防止する手釣糸の中途が掛け外し自在な手釣糸横振れ回り防止ガイドを取付けた。また、装置本体に、手釣糸の中途が掛け外し自在な手釣糸掛け外しコイル付き手釣糸固定用小竿を取付けると共に、回転ローターの回転を防止するピンを挿着自在に取付けたこと。
【考案の効果】
【０００７】  前述の手釣り用釣糸の手動巻き取り装置を用いることにより、釣り中の釣糸の散乱やもつれを低減することができ、必要に応じて、手釣糸の中途の掛け外しが自在にできた。
また、手釣り中に、その場を離れる際にも、手釣糸の中途を手釣り用釣糸の手動巻き取り装置の掛け外し自在な手釣糸固定用小竿に取付けて、回転ローターの回転を防止するピンを挿着自することにより、手釣り状態を簡単に維持したままで、その場を離れることができるようになった。
【図面の簡単な説明】
【０００８】
【図１】本考案に係る実施例を示す手釣り用釣糸の手動巻き取り装置の斜視図
【図２】手釣り用釣糸の手動巻き取り装置を分解した部品の説明図
【図３】図１に図示の手釣り用釣糸の手動巻き取り装置を船側に取付た説明図である。
【考案を実施するための形態】
【０００９】    本考案に係る実施例を図１から図３を参照して、以下具体的に説明する。
【実施例】
【００１０】    図１に図示する如く、本実施例での手釣り糸１１の手動巻き取り装置は、手釣り糸１１を巻き上げ巻き下げして収納する回転ローター２と、回転ローター２を回動可能に軸支する装置本体１と、回転ローター２に固着した手動ハンドル３からなり、更に、装置本体１に、手釣り糸１１の横振れ回りを防止する手釣り糸１１の中途が掛け外し自在な手釣糸横振れ回り防止ガイド６を取付けた。手釣糸横振れ回り防止ガイド６は、コイル状に形成しており、手釣り糸１１の中途で、掛け外しが自在にできるようになった。装置本体１には、更に、手釣り糸１１の中途が掛け外し自在な、手釣糸掛け外しコイル１４付きの手釣糸固定用小竿４を取付けると共に、回転ローター２の回転を防止する回転ロータ回転防止ピン１０を挿着自在に取付けた。図中の符号５は、回転ローター２を回動自在に軸支する回転ローター支持棒で、符号７は、回転ローター２がスムーズに回るようにするワッシャ−、符号８は、手動ハンドル用固定ピンで、符号９は、回転ロータ用固定ピンを、符号１２は、クランプ、１３は船縁を図示している。
手釣り糸１１の手動巻き取り装置の取り付け方法は、図３に図示の船べり１３の上に手釣り糸１１の手動巻き取り装置を乗せ、クランプ１２が、釣竿固定用のクランクレッドでしっかり取り付けることが出来る。手釣り糸１１の手動巻き取り装置の操作は、先ず、図１に図示の回転ローター２のストッパー用穴ａに差し込まれた回転防止ピン１０を引き抜くと、図３に図示の回転ローター２が回転を始め、仕掛けと餌をつけた手釣り糸１１が海底へ降りて行く。海底に到達した手釣り糸１１は、釣竿先端の仕掛けが引っ張る反応をし、左手で手釣り糸１１を巻き上げながら、右手で回転ローター２の手動ハンドル３を巻き上げていく。回転ローター２は右回り左回り自由で、手釣り糸１１の巻き上げ巻き下げが自由にできる手釣糸横ぶれ防止ガイド６と、釣糸固定用小竿４の先端に取付けたコイル状の手釣糸掛け外しコイル１４は、手釣り糸１１の着脱が自由にでき、釣りをする時は手釣り糸１１を手釣糸横ぶれ防止ガイド６の中に通して釣りを行う。その場を離れる時は、図３に図示の如く、釣糸固定用小竿４の先端に取付けたコイル状の手釣糸掛け外しコイル１４の輪に、手釣り糸１１を入れ込み手釣り用横ぶれ防止ガイド６から手釣り糸１１を外す。
【符号の説明】
【００１１】１      装置本体
２      回転ローター
３      手動ハンドル
４      手釣糸固定用小竿
５      回転ローター支持棒
６      手釣糸横振れ回り防止ガイド
７      ワッシャ−
８      手動ハンドル用固定ピン
９      回転ロータ用固定ピン
１０    回転ロータ回転防止ピン
１１    手釣り糸
１２    クランプ
１３    船縁
１４    手釣糸掛け外しコイル
ａ      ストッパー用穴
【図１】
0003179110.tif 000003
【図２】
0003179110.tif 000004
【図３】
0003179110.tif 000005